(57)【要約】【課題】異なる色の領域の境界部におけるブリーディングの低減、及び高品位な画像形成、さらには高速記録が可能なインクジェット記録装置、及びインクジェット記録方法を提供する。【解決手段】異なる複数の色相のそれぞれについて浸透性インクと難浸透性インクを吐出するそれぞれの記録ヘッドを用意する。互いに異なる色の領域が隣接する場合、この２つの領域のうちいずれか一方の領域の境界部は、当該領域の色を記録する記録ヘッドのうち、前記浸透性インクを吐出する記録ヘッドで記録し、当該領域の境界部以外の部分は、前記境界部を記録する記録ヘッドと同じ色相の前記難浸透性インクを吐出する記録ヘッドで記録する。【選択図】　　　　図７
2004009652.tif 000002
【特許請求の範囲】
【請求項１】
異なる複数の色相のそれぞれについて浸透性インクと難浸透性インクを吐出するそれぞれの記録ヘッドを用い、記録媒体にインクを吐出して記録を行うインクジェット記録装置において、
画像データに基づき、異なる色の各領域が互いに隣接するか否かを判断する判断手段と、
前記判断手段が、前記各領域が隣接すると判断した場合、隣接する領域それぞれの境界部の少なくとも一方を、当該領域の色を記録すべく用いられるそれぞれ浸透性インクまたは難浸透性インクの記録ヘッドのうち、浸透性インクを吐出する記録ヘッドで記録させる制御手段と
を具えることを特徴とするインクジェット記録装置。
【請求項２】
異なる複数の色相のそれぞれについて浸透性インクと難浸透性インクを吐出するそれぞれの記録ヘッドを用い、記録媒体にインクを吐出して記録を行うインクジェット記録装置において、
互いに隣接する異なる色の領域のうち、少なくとも一方の領域において、異なる色の領域と隣接する境界部は、当該領域の色を記録する記録ヘッドのうち、前記浸透性インクを吐出する記録ヘッドで記録し、当該領域の境界部以外の部分は、前記境界部を記録する記録ヘッドと同じ色相の前記難浸透性インクを吐出する記録ヘッドで記録することを特徴とするインクジェット記録装置。
【請求項３】
前記制御手段は、隣接する両方の領域のうち、明度の低い色相の領域側のみ、前記境界部を浸透性インクで記録させることを特徴とする請求項１に記載のインクジェット記録装置。
【請求項４】
前記制御手段において、難浸透性のインクの浸透度が低い色相の領域側のみ、前記境界部を浸透性インクで記録させることを特徴とする請求項１に記載のインクジェット記録装置。
【請求項５】
前記記録ヘッドは、熱エネルギーによってインク中に気泡を生成し、該気泡の生成圧力によってインク滴を吐出することを特徴とする請求項１ないし３のいずれかに記載のインクジェット記録装置。
【請求項６】
異なる複数の色相のそれぞれについて浸透性インクと難浸透性インクを吐出するそれぞれの記録ヘッドを用い、記録媒体にインクを吐出して記録を行うインクジェット記録方法において、
画像データに基づき、異なる色の各領域が互いに隣接するか否かを判断する判断工程と、
前記判断工程が前記各領域が隣接すると判断した場合、隣接する領域それぞれの境界部の少なくとも一方を、当該領域の色を記録すべく用いられるそれぞれ浸透性インクまたは難浸透性インクの記録ヘッドのうち、浸透性インクを吐出する記録ヘッドで記録させる制御工程と
を具えることを特徴とするインクジェット記録装置。
【請求項７】
前記制御工程は、隣接する両方の領域のうち、明度の低い色相の領域側のみ、境界部を浸透性インクで記録させることを特徴とする請求項６に記載のインクジェット記録方法。
【請求項８】
前記制御工程は、難浸透性のインクの浸透度が低い色相の領域側のみ、境界部を浸透性インクで記録させることを特徴とする請求項６に記載のインクジェット記録方法。
【発明の詳細な説明】
【０００１】
【発明の属する技術分野】
本発明はインクジェット記録装置及びインクジェット記録方法に関し、さらに詳しくは、記録される画像等の異なる色相間の境界部におけるブリーディングを抑制するインクジェット記録装置及びインクジェット記録方法に関する。
【０００２】
【従来の技術】
プリンタ、複写機、ファクシミリ等の機能を有する記憶装置、あるいはコンピュータやワードプロセッサなどを含む複合電子機器やワークステーションの出力機器として用いられる記録装置は、画像情報に基づいて紙やプラスチック薄板などの記録媒体に画像を形成するように構成されている。
【０００３】
このような記録装置のなかでも、インクジェット記録装置は記録ヘッドに設けられたノズル先端よりインク滴を吐出し記録媒体に着弾させることで記録を行うものである。このように、インクジェット記録装置は記録媒体と非接触で画像を形成することができるので騒音が少ない。また、記録装置のコンパクト化が容易であり、高精細な画像を高速で記録することができる。そして、普通紙に特別な処理を施さずに記録を行うことが可能であり、さらに比較的容易に多色のインクを用いたカラー画像を形成することができるなどの利点を有している。
【０００４】
しかしながら、インクジェット記録装置でカラー画像を形成する場合、インクの記録媒体に対する浸透性によっては、形成される画像に次のような問題が発生することが知られている。
【０００５】
例えば、インクの記録媒体に対する浸透性が低い場合、記録媒体へインクが浸透するのに時間がかかり、異なる色のインク間の境界部分で浸透していないインクが流動拡散現象により互いに交じり合ってにじみを生じることがある。これはいわゆる「ブリーディング」として知られるものである。
【０００６】
一方、インクの記録媒体に対する浸透性を高くした場合、記録媒体へインクが浸透するのが早いので、上述のブリーディングは生じないが、記録媒体のインク定着層の不均一性の影響を受ける。例えば記録媒体が一般的な普通紙である場合、インク定着層は紙の繊維によって形成され、インクはその繊維に沿って浸透し、本来記録したい画像領域を超えて、筋状のにじみを生じることがある。これは「フェザリング」として知られ、特に文字を記録する場合にその品位を著しく落とすものである。また、インクの浸透性が高い場合、インクの染料等の色材が記録媒体の内部深くに浸透するため、表面に残る割合が少なくなり、浸透性の低いインクで記録した場合と比較して記録濃度は低くなる。
【０００７】
以上のような問題に対するものとして、例えば特開平６−８７２２２号公報に記載の発明がある。この発明では、浸透性の低い難浸透性の黒インクにより記録する領域と、この黒インクと比較して浸透性の高いシアン、マゼンタ、イエローのインク、あるいはそれらの混合によって記録する領域との境界部においては、難浸透性の黒インクの代わりにシアン、マゼンタ、イエローの各インクを重ねて吐出して黒色の代用とするいわゆるプロセスブラックを用いて記録する。つまり、黒を記録する領域の境界部についても浸透性の高いインクで記録することにより、黒色領域と、シアン、マゼンタ、イエロー、またはそれらの混合色により形成される領域との間のブリーディングを低減させている。この場合、難浸透性の黒インクは浸透性の高いプロセスブラックの領域に対してにじみを生じるが、同色であることから、そのにじみは目立たない。また、黒インクで記録される領域の大部分は難浸透性の黒インクで記録されるため、フェザリングを抑制することができる。
【０００８】
また、特開平２−４５２３号公報には、用いる色別に別々に記録を行い時間差を設ける方法が提案されている。このように時間差を設けることでインクの乾燥を促進し、各色間の記録ブリーディングを防止することができる。
【０００９】
【発明が解決しようとする課題】
しかしながら、上記従来のプロセスブラックを用いて記録を行う方法では、プロセスブラックで記録した部分を本来の黒インクと完全に同色とすることは困難である。また、各色を重ねて打ち込む上で着弾ドットの位置誤差によって色ずれが発生したり、記録媒体へのインクの打ち込み量が多くなることから記録媒体が濡れて凸凹が生じる、いわゆる「コックリング」が発生するなどの問題もある。
【００１０】
なお、シアン、マゼンタ、イエローについても浸透性の低いインクを用いた構成を考慮できるが、この場合には、上述のプロセスブラックを用いた記録方法を適用することができないので、シアン、マゼンタ、イエローの各色間でブリーディングが発生してしまう場合がある。
【００１１】
また、用いる色別に記録を行い、時間差を設けて各色を重ね合わせる方法では、例えば、ブラック、シアン、マゼンタ、イエローの各インクを同一記録領域で４回走査させて記録が行われることになり、記録速度の低下を招くことになる。したがって、高速記録を要求される記録装置には好ましくない。
【００１２】
本発明は上記従来の問題を鑑みて、異なる色の領域の境界部におけるブリーディングの低減、及び高品位な画像形成、さらには高速記録が可能なインクジェット記録装置、及びインクジェット記録方法を提供することを目的とする。
【００１３】
【課題を解決するための手段】
本発明のインクジェット記録装置は、異なる複数の色相のそれぞれについて浸透性インクと難浸透性インクを吐出するそれぞれの記録ヘッドを用い、記録媒体にインクを吐出して記録を行うインクジェット記録装置において、画像データに基づき、異なる色の各領域が互いに隣接するか否かを判断する判断手段と、前記判断手段が、前記各領域が隣接すると判断した場合、隣接する領域それぞれの境界部の少なくとも一方を、当該領域の色を記録すべく用いられるそれぞれ浸透性インクまたは難浸透性インクの記録ヘッドのうち、浸透性インクを吐出する記録ヘッドで記録させる制御手段とを具えることを特徴とする。
【００１４】
本発明のインクジェット記録方法は、異なる複数の色相のそれぞれについて浸透性インクと難浸透性インクを吐出するそれぞれの記録ヘッドを用い、記録媒体にインクを吐出して記録を行うインクジェット記録方法において、画像データに基づき、異なる色の各領域が互いに隣接するか否かを判断する判断工程と、前記判断工程が前記各領域が隣接すると判断した場合、隣接する領域それぞれの境界部の少なくとも一方を、当該領域の色を記録すべく用いられるそれぞれ浸透性インクまたは難浸透性インクの記録ヘッドのうち、浸透性インクを吐出する記録ヘッドで記録させる制御工程とを具えることを特徴とする。
【００１５】
以上の構成によれば、各色相ごとに難浸透性インクを吐出する記録ヘッドと、浸透性インクを吐出する記録ヘッドとを用意し、異なる色の領域が互いに隣接する境界部のうちの少なくとも一方を、その領域の色を記録する記録ヘッドのうち、浸透性インクを吐出する記録ヘッドで記録することにより、境界部のインクが早く浸透するため、境界部の異なる色間のブリーディングを防ぐことができる。
【００１６】
【発明の実施の形態】
本発明を適用した実施形態について、以下に図面を参照して説明する。
【００１７】
（実施形態１）
図１は、本発明を適用した一実施形態であるプリンタの記録部分を示す略斜視図である。
【００１８】
記録ヘッド１はキャリッジ２に着脱可能に搭載されている。キャリッジ２は２本のガイド軸３ａ，３ｂに沿って摺動可能となっている。ガイド軸３ａ，３ｂは、記録媒体４の紙幅に対して平行に渡されている。キャリッジ２はベルトを介して伝送される不図示のキャリッジモータの駆動力によって、このガイド軸３ａ，３ｂに沿って矢印Ａ方向に往復走査を行う。記録ヘッド１は、吐出口面が記録媒体４と対峙するように搭載されており、このキャリッジ２の往復走査の際に記録媒体４に向ってインク滴を吐出し画像Ｐを記録する。
【００１９】
さらに、キャリッジ２の１走査が終了する毎に、記録媒体４は搬送ローラ５の回転によって所定量だけ矢印Ｂ方向へ搬送される。このように、キャリッジ２の走査と記録媒体４の所定量の搬送とを交互に繰り返すことにより、記録媒体４全体に記録が行われる。
【００２０】
本実施形態では、フルカラー画像を記録するために、記録ヘッド１はノズル群ごとにそれぞれ次のインクタンクと接合している。インクタンクは内蔵するインクが浸透性インクのブラックインクタンクＢＫ１、シアンインクタンクＣ１、マゼンタインクタンクＭ１、イエローインクタンクＹ１と、難浸透性インクのブラックインクタンクＢＫ２、シアンインクタンクＣ２、マゼンタインクタンクＭ２、イエローインクタンクＹ２の合計８種類で、それぞれ個別に着脱可能に記録ヘッド１と接合している。
【００２１】
なお、記録ヘッド１は、上記インクタンクそれぞれと一体化した構成であってもよい。
【００２２】
図２は、各記録ヘッド１のノズル部分の構成を示す部分斜視図である。
【００２３】
各記録ヘッドは、例えば３６０ｄｐｉの解像度で記録できるような所定の密度で吐出口２０を配列している。各吐出口２０はインク路１０３と連通しており、インク路１０３は後方に共通液室１０５と連通している。共通液室１０５はインクを貯留しており、このインクがインク路１０３を介して吐出口２０まで常に充填されている。なお、吐出口２０とインク路１０３とを含めて「ノズル」と称する。
【００２４】
また、各吐出口２０に対応してインク路１０３に電気熱変換体である発熱ヒータ１０２と、これに電力を供給する電極配線（不図示）が設けられている。これら、発熱ヒータ１０２、電極配線はシリコン等からなる基板上に成膜技術によって形成される。さらに、この基板上に樹脂、ガラス材より成る隔壁、天板１０１を積層することによって、上記吐出口２０、インク路１０３、共通液室１０５が構成される。また、共通液室１０５へ供給路（不図示）を介してインクを供給するインクタンク（図１参照）は、内蔵している多孔質体にインクを含浸させることによってインクを保持している。
【００２５】
インク吐出時は、上記発熱ヒータ１０２を発熱させ、インク中に気泡を発生させ、この気泡の生成圧力によって所定量のインク滴を吐出する。本実施形態はいわゆるバブルジェット（登録商標）方式を用いているが、本発明はこの方式に限定するのではなく、ピエゾ方式など他のいかなるインク吐出方式を用いてもよい。
【００２６】
図３（ａ）は記録ヘッドを吐出口側から見た平面図である。
記録ヘッド１には、上述の８種のインクタンクに対応した８列のノズル列が形成されている。各ノズル列は記録ヘッドの走査方向（矢印Ａ方向）に対して直交するように各吐出口を配列している。さらに、吐出するインク別には、それぞれ走査方向に沿って、図中左から順に浸透性ブラックインクを吐出するノズル列ＮＫ１、浸透性シアンインクを吐出するノズル列ＮＣ１、浸透性マゼンタインクを吐出するノズル列ＮＭ１、浸透性イエローインクを吐出するノズル列ＮＹ１、難浸透性ブラックインクを吐出するノズル列ＮＫ２、難浸透性シアンインクを吐出するノズル列ＮＣ２、難浸透性マゼンタインクを吐出するノズル列ＮＭ２、難浸透性イエローインクを吐出するノズル列ＮＹ２となっている。
【００２７】
また、図３（ｂ）に示すように、浸透性インクを吐出するノズル列群と、難浸透性インクを吐出するノズル列群とを２段構造で配列した形態であってもよい。このように２段に配列することで、記録ヘッド自体をコンパクトにすることが可能であり、装置全体の小型化を実現することができる。
【００２８】
また、本発明で使用されるインクの色材としては、顔料及び直接染料、酸性染料、塩基性染料、反応染料、分散染料、及び建築染料等の染料が挙げられる。
【００２９】
本発明で使用される浸透性インクと難浸透性インクの違いは、浸透性付与剤を加えることにより浸透性を異ならせている点である。好ましい浸透性付与剤としては、１価アルコール、界面活性剤を挙げることができる。さらに詳しくは、１価アルコールとして、エチルアルコール、プロピルアルコール、イソプロピルアルコール、ｎ−ブチルアルコール、イソブチルアルコール、ｎ−ペンタノール、シクロヘキサノール、ベンジンアルコール等が挙げられる。
【００３０】
また、界面活性剤として、ポリオキシエチレンアルキルエーテル、ポリオキシエチレンアルキルフェノール、ポリオキシエチレンアルキルフェニルエーテル、ポリオキシエチレンアルキルフェニルアルキルエーテル、ポリオキシエチレン脂肪族エーテル、ソルビタンエステル、アセチレングリコール、フッソ系界面活性剤等を挙げることができるが、これらに限定するのではなく、いかなる界面活性剤も用いることができる。
【００３１】
また、浸透性付与剤として上記１価アルコール、または界面活性剤を単独で用いてもよいし、これらの組み合わせとして用いてもよい。
【００３２】
図４は、プリンタの電気的構成を示すブロック図である。
【００３３】
マイクロプロセッサ形態のＣＰＵ２１はインターフェイス２２を介してホスト装置１００と接続されており、ホスト装置１００から送信される指令信号（コマンド）や画像情報にしたがって、各種駆動部の駆動制御を行う。なお、ホスト装置１００からの指令信号、画像情報は一旦データメモリ２３に格納される。また、各種駆動部の制御プログラムや記録指令データは、ＲＯＭ形態のプログラムメモリ２４やＲＡＭ形態のワーキングメモリ２５等に格納されており、必要に応じて読み出して使う。
【００３４】
例えば、ホスト装置１００から記録指令が送信されると、ＣＰＵ２１はデータメモリ２３に格納された画像情報に基づいてキャリッジ移動量決定回路３０で画像を出力するのに必要なキャリッジの移動量を決定し、出力ポート２６及びキャリッジモータ制御回路２７を介してキャリッジモータ７やシート送りモータ８の駆動を制御する。また、記録ヘッド制御回路２９を介して、記録ヘッド１を制御し記録媒体へ記録を行う。
【００３５】
ここで、データメモリ２３は少なくとも１回の主走査方向記録を行うために必要な記録データを保持し得る容量を有している。
【００３６】
操作パネル上の各操作キー６０Ａ、６０Ｂ，６０Ｃ，６０Ｄの出力は、入力ポート３２を介してＣＰＵ２１に伝達され、また、アラームＬＥＤ６０Ｅ、電源ＬＥＤ６０Ｆに対しては出力ポート３６を介して供給される。
【００３７】
また、電源回路２８からは制御ロジック回路を動作させるためのロジック駆動電圧ＶＣＣ、各種モータ駆動電圧ＶＭ、記録ヘッド１の発熱ヒータに通電し発熱させるためのヒート電圧ＶＨ、及び記録ヘッド１の保護用バックアップ電圧ＶＤＤＨが出力される。
【００３８】
このような構成のプリンタにおいて、浸透性の異なるインク間の境界部分の記録方法について以下に説明する。
【００３９】
図５（ａ）に示す画像は、イエロー、マゼンタ、シアン、ブラックの各色の領域がそれぞれ接している。一方、同図（ｂ）に示す画像は、上記４色の領域が接することなく、互いに独立して形成されている。本発明では、異なるインクの領域それぞれが接している画像を記録する場合、それぞれが独立している画像を記録する場合とで記録方法が異なる。
【００４０】
図６は、境界部分の記録方法を示すフローチャートである。
【００４１】
記録制御動作のルーチンが開始すると（ステップ１０１）、ホスト装置から送られてきた画像データを解析する（ステップ１０２）。解析の結果、ブラック、シアン、マゼンタ、イエローのそれぞれの領域がお互いの領域と接しているかを判断し（ステップ１０３）、上記図５（ａ）のようにそれぞれが接している場合、ブリーディング防止のため、それぞれ自領域の色の浸透性インクを用いて記録を行う（ステップ１０４）。一方、上記図５（ｂ）のように接していない場合、フェザリングが少なく文字品位の高い難浸透性インクを用いて記録を行う（ステップ１０５）。このように画像に応じて最適のインクを選択して記録を行う。
【００４２】
図７は、上記ルーチンで記録した場合の画像の状態である。
【００４３】
互いの領域が接している場合、同図（ａ）に示すように、境界部は所定の幅ｔだけそれぞれ自領域の色の浸透性インクで記録し、直接他の色と接していない残りの部分は難浸透性インクで記録する。例えば、イエローの領域内で、境界部はイエローの浸透性インクで記録し、残りの部分はイエローの難浸透性インクで記録する。
【００４４】
一方、互いの領域が接していない場合は、同図（ｂ）に示すように、全て難浸透性インクで記録する。
【００４５】
なお、図７は１次色のみの構成であるが、２次色、３次色でも同様の処理を行えばよい。例えば、シアンとマゼンタの混合色による領域と、イエローの領域とが隣接している場合、シアンとマゼンタの混合色の領域の境界部は、シアン、マゼンタともに浸透性インクで記録し、領域の残りの部分はシアン、マゼンタとも難浸透性インクで記録する。イエローの領域の境界部は、イエローの浸透性インクで記録し、領域の残りの部分はイエローの難浸透性インクで記録する。
【００４６】
このように、異なる色の領域が互いに接している場合、その境界部のみ、それぞれ浸透性インクで記録することにより、境界部分のインクは浸透に要する時間が短いために異なる色相のインクが互いに交じり合うことがなく、ブリーディングの発生を抑えることができる。
【００４７】
また、プロセスブラックのように、自領域の色相と異なる色相のインク複数色を重ね合わせて記録するのではなく、自領域の色相のインクのみで記録するので、色ずれなどが発生しない。
【００４８】
また、一般的にインクの色材に顔料を用いた顔料インクは難浸透性の特性を持たせると、カーボンブラックそのものが記録媒体にあまり浸透することなしに画像濃度の高い記録画像が得られる。本発明で用いられる顔料は、インク全重量に対して、重量比で１〜２０重量％、好ましくは２〜１２重量％の範囲で用いられる。本発明に使用される顔料の具体的な例としては、黒インクに使用されるものとしてはカーボンブラックが挙げられるが、例えば、ファーネス法、チャネル法で製造されたカーボンブラックであって、一次粒子径が１５〜４０μｍ、ＢＥＴ法による比表面積が５０〜３００ｍ２／ｇ、ＤＢＰ吸油量が４０〜１５０ｍｌ／１００ｇ、揮発分が０．５〜１０％、ｐＨ値が２〜９等の特性を有するものが好ましく用いられる。このような特性を有する市販品としては、例えば、Ｎｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，Ｎｏ．２２００Ｂ（以上、三菱化成製）、ＲＡＶＥＮ　１２５５（以上、コロンビア製）、ＲＥＧＡＬ４００Ｒ，ＲＥＧＡＬ３３０Ｒ，ＲＥＧＡＬ６６０Ｒ，ＭＯＧＵＬ　Ｌ（以上、キャボット製）、ＣｏｌｏｒＢｌａｃｋ　ＦＷ１，ＣｏｌｏｒＢｌａｃｋ　ＦＷ１８，ＣｏｌｏｒＢｌａｃｋＳ１７０，ＣｏｌｏｒＢｌａｃｋ　Ｓ１５０，Ｐｒｉｎｔｅｘ　３５，Ｐｒｉｎｔｅｘ　Ｕ（以上、テグッサ製）等があり、いずれも好ましく使用することができる。
【００４９】
また、イエローインクに使用される顔料としては、例えば、Ｃ．Ｉ．Ｐｉｇｍｅｎｔ　Ｙｅｌｌｏｗ　１，Ｃ．Ｉ．Ｐｉｇｍｅｎｔ　Ｙｅｌｌｏｗ　２，Ｃ．Ｉ．Ｐｉｇｍｅｎｔ　Ｙｅｌｌｏｗ　３，Ｃ．Ｉ．Ｐｉｇｍｅｎｔ　Ｙｅｌｌｏｗ　１３，Ｃ．Ｉ．Ｐｉｇｍｅｎｔ　Ｙｅｌｌｏｗ　１６，Ｃ．Ｉ．Ｐｉｇｍｅｎｔ　Ｙｅｌｌｏｗ　８３等が挙げられる。マゼンタインクに使用される顔料としては、例えば、Ｃ．Ｉ．Ｐｉｇｍｅｎｔ　Ｒｅｄ　５，Ｃ．Ｉ．Ｐｉｇｍｅｎｔ　Ｒｅｄ　７，Ｃ．Ｉ．Ｐｉｇｍｅｎｔ　Ｒｅｄ　１２，Ｃ．Ｉ．Ｐｉｇｍｅｎｔ　Ｒｅｄ　４８（Ｃａ），Ｃ．Ｉ．Ｐｉｇｍｅｎｔ　Ｒｅｄ　４８（Ｍｎ），Ｃ．Ｉ．Ｐｉｇｍｅｎｔ　Ｒｅｄ　５７（Ｃａ），Ｃ．Ｉ．Ｐｉｇｍｅｎｔ　Ｒｅｄ　１１２，Ｃ．Ｉ．Ｐｉｇｍｅｎｔ　Ｒｅｄ　１２２等が挙げられる。シアンインクに使用される顔料としては、Ｃ．Ｉ．Ｐｉｇｍｅｎｔ　Ｂｌｕｅ　１，Ｃ．Ｉ．Ｐｉｇｍｅｎｔ　Ｂｌｕｅ　２，Ｃ．Ｉ．Ｐｉｇｍｅｎｔ　Ｂｌｕｅ３，Ｃ．Ｉ．Ｐｉｇｍｅｎｔ　Ｂｌｕｅ　１５：３，Ｃ．Ｉ．ＰｉｇｍｅｎｔＢｌｕｅ　１６，Ｃ．Ｉ．Ｐｉｇｍｅｎｔ　Ｂｌｕｅ　２２，Ｃ．Ｉ．ＶａｔＢｌｕｅ　４，Ｃ．Ｉ．Ｖａｔ　Ｂｌｕｅ　６等が挙げられる。しかしながら、本発明は上記の顔料に限定するものではなく、いかなるものを用いてもよい。また、上記の他に本発明のために新たに製造された顔料も勿論使用することが可能である。
【００５０】
また、上記したような顔料をインク中に分散させるためにインク中に含有される分散剤としては、水溶性樹脂ならどのようなものでも使用することができるが、重量平均分子量が１０００〜３００００の範囲のものが好ましく、さらに好ましくは、３０００〜１５０００の範囲のものである。このような分散剤として、具体的には、スチレン、スチレン誘導体、ビニルナフタレンビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つ以上の単量体（このうち少なくとも１つは親水性単量体）からなるブロック共重合体、あるいはランダム共重合体、グラフト共重合体またはこれらの塩等が挙げられる。あるいは、ロジン、シェラック、デンプン等の天然樹脂も好ましく使用することができる。これらの樹脂は、塩基を溶解させた水溶液に可溶なアルカリ可溶型樹脂である。なお、上記したこれらの顔料分散剤として用いられる水溶性樹脂のインク全重量に対する含有量としては、０．１〜５重量％の範囲とするのが好ましい。
【００５１】
（実施形態２）
実施形態１では、色相の異なる領域の境界部では、境界部の両方の色相それぞれが浸透性インクで記録していたが、本実施形態では、必ずしも両方の領域で浸透性インクを用いず、片側だけ浸透性インクを用い、もう一方には難浸透性インクを用いた方法を説明する。
【００５２】
隣り合う色相同士の明度の関係によって、明度の高い色が明度の低い色の方へ多少染み出したとしても、視覚的には明度の低い色に明度の高い色は吸収されてしまうので、染み出しはさほど目立たない。
【００５３】
例えば、図５に示した上記４色のうちでは、イエローがもっとも明度が高く、マゼンタ、シアン、ブラックの順で明度が低くなっていく。この各インクの明度の関係を利用して、図５（ａ）の画像は次のようにして記録される。
【００５４】
すなわち、図８（ａ）に示すように、もっとも明度の高いイエローは領域全てを難浸透性インクで記録し、もっとも明度の低いブラックは境界部では浸透性インクで記録し、それ以外の領域は難浸透性インクで記録する。マゼンタ、シアンに関しては、より明度の高い色との境界部は浸透性インクで記録し、より明度の低い色との境界部は難浸透性インクで記録する。
【００５５】
図８（ｂ）は、同図（ａ）のｋ−ｋ線での断面図である。
イエローとマゼンタではイエローの方が明度が高いので、境界部はマゼンタ側のみ浸透性インクで記録している。ここで、難浸透性インクで記録しているイエローは、境界部においてマゼンタよりも記録媒体にインクが吸収されるのが遅いので、マゼンタ側へ染み出してしまう可能性がある。しかしながら、イエローの明度の方がマゼンタに比べて高いので、たとえ染み出したとしてもほとんど目立たない。したがって、ブリーディングは目立たず、比較的明瞭に境界部を記録することができる。
【００５６】
（実施形態３）
実施形態２では、異なる明度間でのインクの視覚的特性を利用して、境界部で明度の低い色の方に浸透性インクを用いて記録を行ったが、本実施形態では、インクの別の特性を利用して、ブリーディングの目立たない記録方法を説明する。
【００５７】
同じ難浸透性インクであっても、インクの色によって、より浸透性の低いものがある。例えば、もっとも浸透性の低いのはシアンで、ブラック、マゼンタ、イエローの順で浸透性が高くなっていく。
【００５８】
したがって、異なる色相間で浸透性の高い色の方は、難浸透性インクで記録し、浸透性の低い色の方は、境界部は浸透性インクで記録すると、浸透する時間に時間差が生じにくいため、ブリーディングの発生を多少抑えることができる。
【００５９】
図９（ａ）に示すように、もっとも浸透性の高いイエローは難浸透性インクで領域全てを記録する。イエローよりも浸透性が低く、ブラックよりは高いマゼンタは、領域のイエローとの境界部のみを浸透性インクで記録し、領域のその他の部分は難浸透性インクで記録する。マゼンタよりも浸透性が低く、シアンよりは高いブラックは、マゼンタとの境界部は浸透性インクで記録し、領域のその他の部分は難浸透性インクで記録する。もっとも浸透性の低いシアンは、他の色との境界部はすべて浸透性インクで記録する。
【００６０】
図９（ｂ）は、同図（ａ）のＬ−Ｌ線での断面図である。
難浸透性イエローインクと難浸透性マゼンタインクとを比較すると、マゼンタの方が浸透性がより低い。よって、マゼンタ側の境界部のみ浸透性インクを用いることにより、着弾ドットのずれなどにより、わずかではあるが難浸透性イエローインクが浸透性マゼンタインクに染み出すことがある。しかしながら、難浸透性マゼンタインクが難浸透性イエローインクに染み出すよりも、難浸透性イエローインクが浸透性マゼンタインクへ染み出す方が、染み出し量自体は軽微であるため、この記録方法の方が両方難浸透性インクを用いるよりもブリーディングが目立たない。
【００６１】
なお、実施形態１，２，３を通じて、イエロー、マゼンタ、シアン、ブラックの１次色を用いて説明したが、１次色に限らず、２色を任意の割合で混合して作成される２次色に対しても同様に適用することができる。
【００６２】
【発明の効果】
本発明のインクジェット記録装置及びインクジェット記録方法によれば、各色相ごとに難浸透性インクを吐出する記録ヘッドと、浸透性インクを吐出する記録ヘッドとを用意し、異なる色の領域が互いに隣接する境界部のうちの少なくとも一方を、その領域の色を記録する記録ヘッドのうち、浸透性インクを吐出する記録ヘッドで記録することにより、境界部のインクが早く浸透するため、異なる色間の境界部でのブリーディングの低減、及び高品位な画像形成を実現することができる。さらには、色ごとに記録動作を分けるのではなく、１回の走査で各色とも同時に行うことができるので、高速記録が可能となる。
【００６３】
また、隣接する二つの色相の両方ともに境界部で浸透性インクを用いるのではなく、明度に応じて一方のみを浸透性インクとすることで、記録ヘッドの搭載インクタンクを削減することができ、省スペース化やコストダウンを図ることができる。
【００６４】
また、明度ばかりでなく、インクの色相ごとの浸透度の違いによっても浸透性インクの使用を決定することができ、明度で決定したときと同様の効果を得ることができる。
【図面の簡単な説明】
【図１】
本発明を適用したプリンタの記録部分を示す略斜視図である。
【図２】記録ヘッドのノズル部分の構成を示す部分斜視図である。
【図３】（ａ）は記録ヘッドを吐出口側から見た平面図であり、（ｂ）は記録ヘッドの他の例の吐出口側から見た平面図である。
【図４】プリンタの電気的構成を示すブロック図である。
【図５】（ａ）はイエロー、シアン、マゼンタ、ブラックの各領域が接している画像を示す図であり、（ｂ）はそれぞれが接していない画像を示す図である。
【図６】境界部分の記録方法を示すフローチャートである。
【図７】（ａ）は、イエロー、シアン、マゼンタ、ブラックの各領域が接している場合の浸透性インクと難浸透性インクの使用範囲を示す図であり、（ｂ）は各領域が接していない場合の浸透性インクと難浸透性インクの使用範囲を示す図である。
【図８】（ａ）は、イエロー、シアン、マゼンタ、ブラックの各領域が接している場合における実施形態２の浸透性インクと難浸透性インクの使用範囲を示す図であり、（ｂ）は（ａ）のｋ−ｋ線断面図である。
【図９】（ａ）は、イエロー、シアン、マゼンタ、ブラックの各領域が接している場合における実施形態３の浸透性インクと難浸透性インクの使用範囲を示す図であり、（ｂ）は（ａ）のＬ−Ｌ線断面図である。
【符号の説明】
１　記録ヘッド
２　キャリッジ
３　ガイド軸
４　記録媒体
５　搬送ローラ
７　キャリッジモータ
８　シート送りモータ
２０　吐出口
２９　記録ヘッド制御回路
１０２　発熱ヒータ
１０３　インク路
１０５　共通液室
【図１】
2004009652.tif 000003
【図２】
2004009652.tif 000004
【図３】
2004009652.tif 000005
【図４】
2004009652.tif 000006
【図５】
2004009652.tif 000007
【図６】
2004009652.tif 000008
【図７】
2004009652.tif 000009
【図８】
2004009652.tif 000010
【図９】
2004009652.tif 000011